(57)【要約】【課題】防水効果の向上が図れるケーブル用水切り処理方法を提供する。【解決手段】複数本のケーブル１1〜１3が導入される防水対象物２のケーブル導入口から水が浸入しないように複数本のケーブル１1〜１3にケーブル用水切り具１１1〜１１9を取り付けて水切り処理を行うケーブル用水切り処理方法であって、防水対象物２のケーブル導入口付近において、複数本のケーブル１1〜１3に複数のリング状のケーブル用水切り具１１1〜１１9を多段構成でそれぞれ取り付け、各段のリング状のケーブル用水切り具１１1〜１１9を防水対象物２のケーブル導入口から等しい距離にかつ隣り同士が接触し合うように複数本のケーブル１1〜１3にそれぞれ取り付ける。【選択図】図１
2010063360.tif 000002
【特許請求の範囲】
【請求項１】
複数本のケーブル（１1〜１3）が導入される防水対象物（２）のケーブル導入口から水が浸入しないように該複数本のケーブルにケーブル用水切り具を取り付けて水切り処理を行うケーブル用水切り処理方法であって、
前記防水対象物のケーブル導入口付近において、前記複数本のケーブルに複数のリング状のケーブル用水切り具（１１1〜１１9）を多段構成でそれぞれ取り付け、
各段の前記ケーブル用水切り具を、前記防水対象物のケーブル導入口から等しい距離に、かつ、隣り同士が接触し合うように、前記複数本のケーブルにそれぞれ取り付ける、
ことを特徴とする、ケーブル用水切り処理方法。
【請求項２】
複数本のケーブル（１1〜１3）が導入される防水対象物（２）のケーブル導入口から水が浸入しないように該複数本のケーブルにケーブル用水切り具を取り付けて水切り処理を行うケーブル用水切り処理方法であって、
前記防水対象物のケーブル導入口付近において、一部が径方向に切断されたかつ切断部分を固定するための固定手段（２５1〜２５9）をそれぞれ備える複数のリング状のケーブル用水切り具（２１1〜２１9）を前記複数本のケーブルに多段構成でそれぞれ取り付け、
各段の前記ケーブル用水切り具を、前記防水対象物のケーブル導入口から等しい距離に、かつ、隣り同士が接触し合うように、前記複数本のケーブルにそれぞれ取り付け、
前記複数本のケーブルに取り付けられた前記複数のケーブル用水切り具の切断部分を前記固定手段で固定する、
ことを特徴とする、ケーブル用水切り処理方法。
【請求項３】
複数本のケーブル（１1〜１3）が導入される防水対象物（２）のケーブル導入口から水が浸入しないように該複数本のケーブルにケーブル用水切り具を取り付けて水切り処理を行うケーブル用水切り処理方法であって、
前記防水対象物のケーブル導入口付近において、螺旋状のリング状のケーブル用水切り具（３１1）を、前記防水対象物のケーブル導入口から等しい距離に、かつ、隣り同士が接触し合うように、前記複数本のケーブルに１個ずつ取り付ける、
ことを特徴とする、ケーブル用水切り処理方法。
【請求項４】
複数本のケーブル（１1〜１3）が導入される防水対象物（２）のケーブル導入口から水が浸入しないように該複数本のケーブルにケーブル用水切り具を取り付けて水切り処理を行うケーブル用水切り処理方法であって、
前記防水対象物のケーブル導入口付近において、螺旋状の本体部（４２1）および該本体部の周面上に形成されたヒレ（４３1）を備える螺旋状のケーブル用水切り具（４１1）を、前記防水対象物のケーブル導入口から等しい距離に、かつ、隣り同士が接触し合うように、前記複数本のケーブルに１個ずつ取り付ける、
ことを特徴とする、ケーブル用水切り処理方法。
【発明の詳細な説明】
【技術分野】
【０００１】
本発明は、ケーブル用水切り処理方法に関し、特に、雨水などがケーブルを伝わってケーブル接続箱などのケーブル導入口から浸水することを防止するのに好適なケーブル用水切り処理方法に関する。
【背景技術】
【０００２】
近年、インターネットの普及に伴い、光ケーブル（光ファイバ）を用いて高速かつ大容量の信号を家庭やオフィスなどへ伝送することができるＦＴＴＨ（Fiber To The Home）が注目されている。光ケーブルを家庭やオフィスなどの建物まで敷設する方法としては、従来のメタル電話線と同様に架空線路を利用して多芯光ケーブルを敷設する方法が主流である。架空線路から建物までは、光ケーブル用クロージャ（光ケーブル接続箱）を介して１芯または２芯の光ドロップケーブルを接続することによって、多芯光ケーブルを分配している。
【０００３】
従来、このような光ケーブル用クロージャを電柱間に通された吊線に取り付けて使用する際には、図６（ａ）に示すように、光ケーブルは吊線１５０と平行に光ケーブル用クロージャ１００（以下、「クロージャ１００」と称する。）に導入される（すなわち、光ケーブルはクロージャ１００のケーブル導入口に対して垂直にクロージャ１００に導入される）。そのため、たとえば雨水が光ケーブルを伝わってクロージャ１００内に侵入することを防止するために、クロージャ１００のケーブル導入口に設けたグロメット１０５によってケーブル挿通孔を水密に封止するとともに、同図（ｂ）に示すようにクロージャ１００付近において水切り処理（光ケーブルをＵの字に曲げたのちにクロージャ１００に導入する処理）を行っている。
【０００４】
なお、下記の特許文献１には、配電線に取り付けて内蔵電極に分圧される電圧から配電線の電圧を求める配電線運転状態モニタリングセンサの降雨時の出力特性を安定させるために、センサ本体からの配電線の口出し部あるいは送信用光ファイバケーブルの引出し端近傍に、フードなどからなる水切り具を設け、その水切り具でセンサ表面と配電線表面との間あるいはセンサ表面と光ファイバケーブル表面との間にまたがって水膜が張らないようにして水膜を介しての表面の電気的導通をなくして、検出電圧に影響を及ぼすセンサ表面の電位変動を防止する配電線運転状態モニタリングセンサが開示されている。
【０００５】
また、下記の特許文献２には、電線または電話線や光ケーブルなどの通信線を溝ブロック内に多くの時間と手間を必要とすることなくワンタッチ操作にて迅速かつ確実に支持して電線などの配線工事を効率的に行うために、地中に連続して埋込むコンクリート製の溝ブロック内に支持部材を所定間隔に取り付け、支持部材の上縁または下縁には電線または通信線が挿通可能なスリーブ管が上下方向から嵌入される収納凹部を所望数個設けた、地中埋込みコンクリート製溝ブロックの電線などの支持装置が開示されている。
【先行技術文献】
【特許文献】
【０００６】
【特許文献１】特開平５−２１５７９９号公報
【特許文献２】登録実用新案第３０４８５９４号公報
【発明の概要】
【発明が解決しようとする課題】
【０００７】
しかしながら、上述した従来の水切り処理方法では、ゴム製のグロメット１０５の老朽化に伴うゴムの硬化やクロージャ１００の数回に渡る開閉によりクロージャ１００のケーブル導入口とグロメット１０５との間に隙間が生じたり、荒雨天時などにおいて光ケーブルが風に揺られてクロージャ１００のケーブル導入口とグロメット１０５との間に隙間が生じたりすると、光ケーブルを伝わってきた雨水がクロージャ１００内に侵入してしまい、以下に示すような問題を生じさせる。
（１）クロージャ１００の内部の金物が腐食してしまう。
（２）光ケーブルと被覆との間に雨水が浸入して凍結すると、光信号の損失が増加して、最悪の場合には、光回線が不通となる。
【０００８】
本発明の目的は、防水効果の向上が図れるケーブル用水切り処理方法を提供することにある。
【課題を解決するための手段】
【０００９】
本発明の第１のケーブル用水切り処理方法は、複数本のケーブル（１1〜１3）が導入される防水対象物（２）のケーブル導入口から水が浸入しないように該複数本のケーブルにケーブル用水切り具を取り付けて水切り処理を行うケーブル用水切り処理方法であって、前記防水対象物のケーブル導入口付近において、前記複数本のケーブルに複数のリング状のケーブル用水切り具（１１1〜１１9）を多段構成でそれぞれ取り付け、各段の前記ケーブル用水切り具を、前記防水対象物のケーブル導入口から等しい距離に、かつ、隣り同士が接触し合うように、前記複数本のケーブルにそれぞれ取り付けることを特徴とする。
本発明の第２のケーブル用水切り処理方法は、複数本のケーブル（１1〜１3）が導入される防水対象物（２）のケーブル導入口から水が浸入しないように該複数本のケーブルにケーブル用水切り具を取り付けて水切り処理を行うケーブル用水切り処理方法であって、前記防水対象物のケーブル導入口付近において、一部が径方向に切断されたかつ切断部分を固定するための固定手段（２５1〜２５9）をそれぞれ備える複数のリング状のケーブル用水切り具（２１1〜２１9）を前記複数本のケーブルに多段構成でそれぞれ取り付け、各段の前記ケーブル用水切り具を、前記防水対象物のケーブル導入口から等しい距離に、かつ、隣り同士が接触し合うように、前記複数本のケーブルにそれぞれ取り付け、前記複数本のケーブルに取り付けられた前記複数のケーブル用水切り具の切断部分を前記固定手段で固定することを特徴とする。
本発明の第３のケーブル用水切り処理方法は、複数本のケーブル（１1〜１3）が導入される防水対象物（２）のケーブル導入口から水が浸入しないように該複数本のケーブルにケーブル用水切り具を取り付けて水切り処理を行うケーブル用水切り処理方法であって、前記防水対象物のケーブル導入口付近において、螺旋状のリング状のケーブル用水切り具（３１1）を、前記防水対象物のケーブル導入口から等しい距離に、かつ、隣り同士が接触し合うように、前記複数本のケーブルに１個ずつ取り付けることを特徴とする。
本発明の第４のケーブル用水切り処理方法は、複数本のケーブル（１1〜１3）が導入される防水対象物（２）のケーブル導入口から水が浸入しないように該複数本のケーブルにケーブル用水切り具を取り付けて水切り処理を行うケーブル用水切り処理方法であって、前記防水対象物のケーブル導入口付近において、螺旋状の本体部（４２1）および該本体部の周面上に形成されたヒレ（４３1）を備える螺旋状のケーブル用水切り具（４１1）を、前記防水対象物のケーブル導入口から等しい距離に、かつ、隣り同士が接触し合うように、前記複数本のケーブルに１個ずつ取り付けることを特徴とする。
【発明の効果】
【００１０】
本発明のケーブル用水切り処理方法は、以下に示す効果を奏する。
（１）防水対象物（たとえば、クロージャ）のケーブル導入口付近において複数本のケーブルにリング状のケーブル用水切り具を多段構成でそれぞれ取り付けることにより、たとえば荒雨天時などにおいてケーブルを伝わってくる雨水をケーブル用水切り具で止めて防水対象物内に浸入することを防止することができるので、防水効果を向上させることができるとともに、図６（ｂ）に示したような水切り処理をなくすことができる。
（２）リング状のケーブル用水切り具の一部を切断し、切断部分をボルトなどの固定手段で固定することにより、ケーブルを切断することなくケーブル用水切り具を取り付けたり取り替えたりすることができる。
（３）リング状のケーブル用水切り具の代わりに螺旋状のケーブル用水切り具を用いることにより、ケーブルを切断することなく取り付けたり取り替えたりすることができる。
（４）螺旋状のケーブル用水切り具にヒレを設けることにより、雨水などが表面張力などでケーブル用水切り具の表面を伝わって防水対象物内に浸入することを防止することができるので、防水効果をさらに向上させることができる。
【図面の簡単な説明】
【００１１】
【図１】本発明の第１の実施例によるケーブル用水切り処理方法を説明するための図であり、（ａ）は第１のケーブル用水切り具１１1の正面図、（ｂ）は第１のケーブル用水切り具１１1を第１の光ケーブル１1に取り付けた状態を示す側面図、（ｃ）は第１乃至第９のケーブル用水切り具１１1〜１１9を第１乃至第３の光ケーブル１1〜１3に取り付けた状態を示す側面図である。
【図２】本発明の第２の実施例によるケーブル用水切り処理方法を説明するための図であり、（ａ）は第１のケーブル用水切り具２１1の正面図、（ｂ）は第１のケーブル用水切り具２１1を第１の光ケーブル１1に取り付けた状態を示す側面図である。
【図３】本発明の第３の実施例によるケーブル用水切り処理方法を説明するための図である。
【図４】本発明の第４の実施例によるケーブル用水切り処理方法を説明するための図であり、（ａ）は第１のケーブル用水切り具４１1の正面図、（ｂ）は第１のケーブル用水切り具４１1を第１の光ケーブル１1に取り付けた状態を示す斜視図である。
【図５】本発明の参考例によるケーブル用水切り処理方法を説明するための図であり、（ａ）は第１のケーブル用水切り具５１1の正面図、（ｂ）は第１のケーブル用水切り具５１1を第１の光ケーブル１1に取り付けた状態を示す斜視図である。
【図６】従来のケーブル用水切り処理方法を説明するための図である。
【発明を実施するための形態】
【００１２】
防水効果の向上を図るという目的を、防水対象物のケーブル導入口付近において螺旋状のリング状のケーブル用水切り具を防水対象物のケーブル導入口から等しい距離にかつ隣り同士が接触し合うように複数本のケーブルに１個ずつ取り付けることにより実現した。
【実施例１】
【００１３】
以下、本発明のケーブル用水切り処理方法の実施例について、図面を参照して説明する。
なお、以下では、光ケーブル用クロージャ２（以下、「クロージャ２」と称する。）の片側から外径１２ｍｍの第１乃至第３の光ケーブル１1〜１3を間隔３０ｍｍでクロージャ２内に導入する場合を例として説明する。
【００１４】
まず、本発明の第１の実施例によるケーブル用水切り処理方法について、図１を参照して説明する。
本実施例によるケーブル用水切り処理方法において使用される第１乃至第９のケーブル用水切り具１１1〜１１9は、第１のケーブル用水切り具１１1について図１（ａ），（ｂ）に示すように、リング状の形状をしており、内径１０ｍｍ、外径３０ｍｍおよび厚さ５ｍｍのゴム製のものである。
【００１５】
本実施例によるケーブル用水切り処理方法では、図１（ｃ）に示すように、クロージャ２のケーブル導入口付近において、１本の光ケーブルに対して複数のケーブル用水切り具が多段構成で取り付けられる。
すなわち、第１の光ケーブル１1には第１乃至第３のケーブル用水切り具１１1〜１１3が所定の間隔をもって取り付けられ、第２の光ケーブル１2には第４乃至第６のケーブル用水切り具１１4〜１１6が所定の間隔をもって取り付けられ、第３の光ケーブル１3には第７乃至第９のケーブル用水切り具１１7〜１１9が所定の間隔をもって取り付けられる。
【００１６】
これにより、たとえば図１（ｃ）図示右方向から第１の光ケーブル１1の表面を伝わってクロージャ２の方に流れてくる雨水などを第３のケーブル用水切り具１１3、第２のケーブル用水切り具１１2および第１のケーブル用水切り具１１1の順番で止めることができるので、雨水などがクロージャ２内に浸入することを防止することができる。
【００１７】
図１（ｃ）に示すように、各段のケーブル用水切り具は一列にかつ隣り同士が接触し合って複数本の光ケーブルにそれぞれ取り付けられる。
すなわち、１段目の第１、第４および第７のケーブル用水切り具１１1，１１4，１１7は一列に（すなわち、クロージャ２のケーブル導入口から等しい距離に）第１乃至第３の光ケーブル１1〜１3にそれぞれ取り付けられ、２段目の第２、第５および第８のケーブル用水切り具１１2，１１5，１１8は一列に（すなわち、第１、第４および第７のケーブル用水切り具１１1，１１4，１１7から等しい距離に）第１乃至第３の光ケーブル１1〜１3にそれぞれ取り付けられ、３段目の第３、第６および第９のケーブル用水切り具１１3，１１6，１１9は一列に（すなわち、第２、第５および第８のケーブル用水切り具１１2，１１5，１１8から等しい距離に）第１乃至第３の光ケーブル１1〜１3にそれぞれ取り付けられる。
また、１段目の第１、第４および第７のケーブル用水切り具１１1，１１4，１１7の隣り同士と２段目の第２、第５および第８のケーブル用水切り具１１2，１１5，１１8の隣り同士と３段目の第３、第６および第９のケーブル用水切り具１１3，１１6，１１9の隣り同士とが接触し合うように、第１乃至第９のケーブル用水切り具１１1〜１１9の外径（＝３０ｍｍ）は第１乃至第３の光ケーブル１1〜１3の間隔（＝３０ｍｍ）と等しくされている。
【００１８】
これにより、雨水などが第１、第４および第７のケーブル用水切り具１１1，１１4，１１7の間と第２、第５および第８のケーブル用水切り具１１2，１１5，１１8の間と第３、第６および第９のケーブル用水切り具１１3，１１6，１１9の間とを通ってクロージャ２に当らないようにすることができる。
【００１９】
なお、第１乃至第９のケーブル用水切り具１１1〜１１9の内径（＝１０ｍｍ）は、第１乃至第３の光ケーブル１1〜１3に取り付けた際に第１乃至第３の光ケーブル１1〜１3を締め付けることにより第１乃至第９のケーブル用水切り具１１1〜１１9の脱落や第１乃至第９のケーブル用水切り具１１1〜１１9と第１乃至第３の光ケーブル１1〜１3との間の隙間への雨水などの侵入を防止するように、第１乃至第３の光ケーブル１1〜１3の外径（１２ｍｍ）よりも小さくされている。
【実施例２】
【００２０】
次に、本発明の第２の実施例によるケーブル用水切り処理方法について、図２を参照して説明する。
上述した第１の実施例によるケーブル用水切り処理方法では、第１乃至第９のケーブル用水切り具１１1〜１１9がリング状であるため、既設の光ケーブルに取り付ける場合や光ケーブルに取り付けたのちに不良により取替えが必要になった場合には、光ケーブルを切断して取り付けたり取り替えたりする必要がある。
本実施例によるケーブル用水切り処理方法は、これを解決するためのものである。
【００２１】
本実施例によるケーブル用水切り処理方法は、一部が径方向に切断されたリング状のケーブル用水切り具（第１乃至第９のケーブル用水切り具２１1〜２１9）を使用する点で上述した第１の実施例によるケーブル用水切り処理方法と異なる。
すなわち、本実施例によるケーブル用水切り処理方法において使用される第１のケーブル用水切り具２１1は、図２（ａ），（ｂ）に示すように、一部が径方向に切断されている点と、第１の光ケーブル１1に取り付けられた第１のケーブル用水切り具２１1の切断部分を固定するための第１のボルト２５1（固定手段）を具備する点と、第１のボルト２５1と螺合する雌ねじ部が内周に設けられた孔が第１のケーブル用水切り具２１1の切断部分に形成されている点とで、上述した第１の実施例によるケーブル用水切り処理方法において使用される第１乃至第９のケーブル用水切り具１１1〜１１9と異なる。
第２乃至第９のケーブル用水切り具２１2〜２１9（不図示）も、第１のケーブル用水切り具２１1と同様に構成されている。
【００２２】
第１乃至第９のケーブル用水切り具２１1〜２１9は一部が径方向に切断されているので、既設の第１乃至第３の光ケーブル１1〜１3を切断することなく取り付けたり取り替えたりすることができる。
【００２３】
第１乃至第９のケーブル用水切り具２１1〜２１9の第１乃至第３の光ケーブル１1〜１3への取付け方法は、第１乃至第３の光ケーブル１1〜１3に取り付けられた第１乃至第９のケーブル用水切り具２１1〜２１9の切断部分を第１乃至第９のボルト２５1〜２５9（第２乃至第９のボルト２５2〜２５9は不図示）で固定するほかは、上述した第１の実施例によるケーブル用水切り処理方法において使用される第１乃至第９のケーブル用水切り具１１1〜１１9の第１乃至第３の光ケーブル１1〜１3への取付け方法と同様である（図１（ｃ）参照）。
【００２４】
なお、第１乃至第９のケーブル用水切り具２１1〜２１9の切断部分は、図２（ｂ）に示すように、雨水などが伝わりにくい第１乃至第３の光ケーブル１1〜１3の上にくるように取り付けられる。これにより、第１乃至第９のケーブル用水切り具２１1〜２１9の切断部分を雨水などが通ってしまうことを防止することができる。
また、第１乃至第９のボルト２５1〜２５9を用いて第１乃至第９のケーブル用水切り具２１1〜２１9の切断部分を固定するので、第１乃至第３の光ケーブル１1〜１3よりも外径が多少大きい光ケーブルにも取り付けることができる。
【実施例３】
【００２５】
次に、本発明の第３の実施例によるケーブル用水切り処理方法について、図３を参照して説明する。
上述した第１および第２の実施例によるケーブル用水切り処理方法では、１本の光ケーブルに３つのケーブル用水切り具を多段構成で取り付ける必要があるため（図１（ｃ）参照）、ケーブル用水切り具の取付け作業に時間を要する。
本実施例によるケーブル用水切り処理方法は、これを解決するためのものである。
【００２６】
本実施例によるケーブル用水切り処理方法は、螺旋状の形状を有するケーブル用水切り具（第１乃至第３のケーブル用水切り具３１1〜３１3）を使用する点と、各光ケーブルには１個のケーブル用水切り具しか取り付けられない（すなわち、第１乃至第３の光ケーブル１1〜１3には第１乃至第３のケーブル用水切り具３１1〜３１3がそれぞれ取り付けられる）点とで、上述した第１および第２の実施例によるケーブル用水切り処理方法と異なる。
すなわち、本実施例によるケーブル用水切り処理方法において使用される第１のケーブル用水切り具３１1は、図３に示すように、螺旋状の形状を有する点と、第１の光ケーブル１1には第１のケーブル用水切り具３１1しか取り付けられない点とで、上述した第１および第２の実施例によるケーブル用水切り処理方法において使用される第１のケーブル用水切り具１１1，２１1と異なる。
第２および第３のケーブル用水切り具３１2，３１3（不図示）も、第１のケーブル用水切り具３１1と同様に構成されている。
なお、第１乃至第３のケーブル用水切り具３１1〜３１3は、たとえば、内径６ｍｍ（第１の光ケーブル１1の外径（＝１２ｍｍ）の１／２）、外径１０ｍｍとする。
【００２７】
第１乃至第３のケーブル用水切り具３１1〜３１3は螺旋状の形状を有するので、以下に示す効果を奏する。
（１）一端から巻き付けるようにして第１乃至第３の光ケーブル１1〜１3に取り付けることができるため、取付け作業が容易である。
（２）既設の第１乃至第３の光ケーブル１1〜１3を切断することなく取り付けたり取り替えたりすることができる。
（３）１個で図１（ｃ）に示した多段構成と同様の防水効果を得ることができる。
（４）一端から巻き付けるようにして第１乃至第３の光ケーブル１1〜１3に取り付けるので、第１乃至第３の光ケーブル１1〜１3よりも外径が多少大きい光ケーブルにも取り付けることができる。
【００２８】
また、第１乃至第３のケーブル用水切り具３１1〜３１3を以下のように変形してもよい。
（Ａ）第１乃至第３のケーブル用水切り具３１1〜３１3の内部に鋼心の第１乃至第３のバネ（不図示）を周方向に沿って入れることにより、第１乃至第３の光ケーブル１1〜１3に巻き付けたときの締付け力を大きくする。
（Ｂ）第１乃至第３のケーブル用水切り具３１1〜３１3の巻き数を増やすことにより、防水効果を高める。巻き数を増やすことにより、第１乃至第３のケーブル用水切り具３１1〜３１3が第１乃至第３の光ケーブル１1〜１3から脱落することをより防止することもできる。
（Ｃ）巻き数の多いケーブル用水切り具を作成し、これを必要な長さに切ったものを第１乃至第３のケーブル用水切り具３１1〜３１3として使用することにより、多様な光ケーブルに対応させることができる（たとえば、外径の大きい光ケーブルには巻き数を多くした第１乃至第３のケーブル用水切り具３１1〜３１3を取り付ける。）。
【実施例４】
【００２９】
次に、本発明の第４の実施例によるケーブル用水切り処理方法について、図４を参照して説明する。
上述した第３の実施例によるケーブル用水切り処理方法では、第１乃至第３のケーブル用水切り具３１1〜３１3は螺旋状の形状を有するため、表面張力などにより雨水などが第１乃至第３のケーブル用水切り具３１1〜３１3の表面を伝わってクロージャ２（図１（ｃ）参照）内に侵入する場合が考えられる。
本実施例によるケーブル用水切り処理方法は、これを解決するためのものである。
【００３０】
すなわち、本実施例によるケーブル用水切り処理方法において使用される第１のケーブル用水切り具４１1は、図４（ａ），（ｂ）に示すように、螺旋状の第１の本体部４２1および第１の本体部４２1の周面上に形成された第１のヒレ４３1を備える点で、上述した第３の実施例によるケーブル用水切り処理方法において使用される第１のケーブル用水切り具３１1と異なる。
なお、図４（ａ）に示すように、第１のケーブル用水切り具４１1の第１の本体部４２1は、たとえば、内径６ｍｍ（第１の光ケーブル１1の外径（＝１２ｍｍ）の１／２）、外径１２ｍｍとする。また、第１のヒレ４３1の外周は、たとえば、３２ｍｍとする。
第２および第３のケーブル用水切り具４１2，４１3（不図示）も、第１のケーブル用水切り具４１1と同様に構成されている。
【００３１】
なお、互いに隣り合う第１および第２の光ケーブル１1，１2の間隔は３０ｍｍであるため（図１（ｃ）参照）、第１および第２のケーブル用水切り具４１1，４１2を第１および第２の光ケーブル１1，１2に一列に取り付けると第１および第２のヒレ４３1，４３2が接触し合うが、第１および第２のヒレ４３1，４３2の厚さは薄いため、接触し合っても防水効果に影響を及ぼすことはない。
【００３２】
第１乃至第３のケーブル用水切り具４１1〜４１3は螺旋状の形状を有するので、上述した第３の実施例によるケーブル用水切り処理方法において使用される第１乃至第３のケーブル用水切り具３１1〜３１3と同様の効果（上記（１）から（４）参照）を得ることができる。
【００３３】
また、第１乃至第３のケーブル用水切り具４１1〜４１3を上述した第３の実施例によるケーブル用水切り処理方法において使用される第１乃至第３のケーブル用水切り具３１1〜３１3と同様に変形してもよい（上記（Ａ）から（Ｃ）参照）。
【００３４】
次に、本発明の参考例によるケーブル用水切り処理方法について、図５を参照して説明する。
上述した第４の実施例によるケーブル用水切り処理方法では、表面張力などにより雨水などが第１乃至第３のヒレ４３1〜４３3の表面を伝わってクロージャ２（図１（ｃ）参照）内に侵入する場合が考えられる。
本参考例によるケーブル用水切り処理方法は、これを解決するためのものである。
【００３５】
すなわち、本参考例によるケーブル用水切り処理方法において使用される第１のケーブル用水切り具５１1は、図５（ａ），（ｂ）に示すように、螺旋状の第１の本体部５２1および第１の本体部５２1の周面上に形成された第１のヒレ５３1が波状の形状とされている（すなわち、第１のヒレ５３1の表面は、平面ではなく、第１の光ケーブル１1の軸方向から見て凹凸が周方向に交互に繰り返す面となっている。）点で、上述した第４の実施例によるケーブル用水切り処理方法において使用される第１のケーブル用水切り具４１1と異なる。
なお、第１のヒレ５３1は、凸部および凹部が第１のケーブル用水切り具５１1の中心から径方向に放射状に広がる凹凸が周方向に等間隔に交互に形成されることにより、波状の形状とされている。
第２および第３のケーブル用水切り具５１2，５１3（不図示）も、第１のケーブル用水切り具５１1と同様に構成されている。
【００３６】
第１乃至第３のケーブル用水切り具５１1〜５１3の第１乃至第３のヒレ５３1〜５３3は波状の形状とされているので、表面張力などにより雨水などが第１乃至第３のヒレ５３1〜５３3の表面を伝わってクロージャ２（図１（ｃ）参照）内に侵入することを防止することができる。
【００３７】
また、第１乃至第３のケーブル用水切り具５１1〜５１3は螺旋状の形状を有するので、上述した第３の実施例によるケーブル用水切り処理方法において使用される第１乃至第３のケーブル用水切り具３１1〜３１3と同様の効果（上記（１）から（４）参照）を得ることができる。
【００３８】
さらに、第１乃至第３のケーブル用水切り具５１1〜５１3を上述した第３の実施例によるケーブル用水切り処理方法において使用される第１乃至第３のケーブル用水切り具３１1〜３１3と同様に変形してもよい（上記（Ａ）から（Ｃ）参照）。
【００３９】
以上では、第１および第２の実施例によるケーブル用水切り処理方法において各段のケーブル用水切り具を一列にかつ隣り同士が接触し合うように複数本の光ケーブルにそれぞれ取り付けたが、その必要は必ずしもなく、たとえば各段のケーブル用水切り具が重なり合うように互い違いに複数本の光ケーブルにそれぞれ取り付けてもよい。
さらに、光ケーブルを例として説明したが、屋外から屋内に引き込まれる電気ケーブル、電話ケーブル、テレビケーブル、有線ケーブル、メタルケーブルおよび引込み用ドロップケーブルに対しても使用することができる。
さらにまた、防水対象物としてクロージャのようなケーブル接続箱を例として説明したが、建物引込み箇所においても本発明のケーブル用水切り具およびケーブル用水切り処理方法を使用することができる。
【産業上の利用可能性】
【００４０】
以上説明したように、本発明のケーブル用水切り処理方法は、たとえば雨水などがケーブルを伝わってケーブル接続箱のケーブル導入口から浸水することを防止するのに利用することができる。
【符号の説明】
【００４１】
１1〜１3  光ケーブル
２  クロージャ
１１1〜１１9，２１1，３１1，４１1，５１1  ケーブル用水切り具
２５1  ボルト
４２1，５２1  本体部
４３1，５３1  ヒレ
【図１】
2010063360.tif 000003
【図２】
2010063360.tif 000004
【図３】
2010063360.tif 000005
【図４】
2010063360.tif 000006
【図５】
2010063360.tif 000007
【図６】
2010063360.tif 000008